(57)【要約】【課題】更新通知装置は、検索装置と同条件で更新通知を行うことができる電子文書の更新通知装置を提供する。【解決手段】更新通知装置１０５と検索装置１０３とから成る電子文書の更新通知システムであって、前記検索装置で入力された情報を前記更新通知装置で利用するための入力情報変換手段１０４を有する。【選択図】      図１
2004280539.tif 000002
【特許請求の範囲】
【請求項１】
更新通知装置と検索装置とから成る電子文書の更新通知システムであって、
前記検索装置で入力された情報を前記更新通知装置で利用するための入力情報変換手段を有することを特徴とする電子文書の更新通知システム。
【発明の詳細な説明】
【０００１】
【発明の属する技術分野】
本発明は、ネットワーク上に分散配置された電子文書群の内容が更新されたことを監視し、通知する電子文書の更新通知システムに関する。
【０００２】
【従来の技術】
インターネットのような電子ネットワーク上では、多くの電子文書が不特定多数に対して公開されている。この公開されている文書から必要な文書を検索するために広く用いられている技術として、検索装置がある。
【０００３】
一般に、検索エンジンと呼ばれる検索装置は、電子文書を格納するサーバにアクセスし、そのサーバが保持する電子文書を一定周期で集めることで、各サーバの擬似的なコピーを作り、キーワードを含む文書を検索するという検索要求に対して、実時間で検索結果を返す装置である。
【０００４】
図１２は、従来の検索装置の利用手順を示す図であり、同図において、まず、ユーザ端末から検索装置へ検索開始ページの取得要求を送り（１２０１）、検索装置からユーザ端末へ検索開始ページを送信する（１２０２）。検索開始ページは、検索要求を検索装置に送信するためのものである。次に、ユーザ端末から検索装置へ検索パラメータを送信（検索要求）し（１２０３）、検索装置からユーザ端末へ検索結果ページを送信する（１２０４）。
【０００５】
また、近年注目されている装置として、特開２００１−６７２８３号公報にかいじされた更新通知装置がある。検索装置が、検索要求時にネットワーク中に存在する電子文書を検索する装置であるのに対し、この更新通知装置は、その時点では存在しない文書が新規に現れた場合や、既に存在し注目している文書の内容が更新された場合に、その事実を希望者に通知する装置である。
【０００６】
図１３は、従来の更新通知装置の利用手順を示す図であり、同図において、まず、ユーザ端末から更新通知装置へ通知登録ページの取得要求を送り（１３０１）、更新通知装置からユーザ端末へ通知登録ページを送信する（１３０２）。次に、ユーザ端末から更新通知装置へ通知パラメータを送信（登録要求）し（１３０３）、更新通知装置からユーザ端末へ登録完了ページを送信する（１３０４）。
【０００７】
上記二つの装置には多くの類似点を見出すことができる。どちらも特定の条件に見合った電子文書を発見するための装置であり、ユーザが利用する際にも、文書を特定するためには、ネットワーク中でその文書を発見する範囲及び文書に含まれるキーワードを指定する。
【０００８】
【発明が解決しようとする課題】
先に述べたような類似性から、検索装置と更新通知装置は連続して用いられることがある。例えば、検索装置で検索して希望の文書が検索できなかった場合、更新通知装置に登録することで、該当する文書が出現するのを待つという行為を行っていた。
【０００９】
しかし、検索装置に入力する検索範囲やキーワードと、更新通知装置に入力する検索範囲やキーワードは同一であった。
【００１０】
本発明は、上述した従来技術の有する問題点を解消するためになされたもので、その目的は、検索装置と同条件で更新通知を行うことができる電子文書の更新通知システムを提供することである。
【００１１】
【課題を解決するための手段】
上記目的を達成するために本発明の電子文書の更新通知システムは、更新通知装置と検索装置とから成る電子文書の更新通知システムであって、前記検索装置で入力された情報を前記更新通知装置で利用するための入力情報変換手段を有することを特徴とする。
【００１２】
【発明の実施の形態】
以下、本発明の各実施の形態を、図面に基づき説明する。
【００１３】
（第１の実施の形態）
まず、本発明の第１の実施の形態を、図１乃至図１２に基づき説明する。
【００１４】
図１は、本実施の形態に係る電子文書の更新通知システムの構成を示す図である。
【００１５】
図１において、１０１はユーザ端末で、本実施の形態に係る更新通知システムを利用するユーザがネットワークに接続し、更新通知システムへアクセスするための端末である。１０２は電子文書サーバで、電子文書を保持し且つ外部からの要求に従って該当文書を送信するものである。電子文書の多くは、ＨＴＭＬ（Ｈｙｐｅｒｔｅｘｔ  Ｍａｒｋｕｐ  Ｌａｎｇｕａｇｅ）を用いて記述されており、文書要求や文書の送信には、ＨＴＴＰ（Ｈｙｐｅｒｔｅｘｔ  ｔｒａｎｓｆｅｒ  ｐｒｏｔｏｃｏｌ）が広く用いられている。１０３は検索装置で、特定の電子文書サーバ１０２から電子文書を検索するための装置である。一つ電子文書サーバ１０２内の文書を検索するために設置されている検索装置もあれば、インターネット検索として、複数の電子文書サーバ１０２を検索対象としている検索装置もある。本出願で提案する装置の一部を構成する入力情報変換手段１０４は、この検索装置１０３の一部として機能する。１０５は更新通知装置で、特定の電子文書サーバ１０２を監視して、そこで更新された電子文書を希望者に通知するための装置である。更新通知装置１０５は、設定手段１０６と、更新監視手段１０７と、通知手段１０８とから成る。設定手段１０６は、通知希望者が更新通知装置１０５に登録を行い、通知の設定を行うものである。更新監視手段１０７は、電子文書を監視するものである。通知手段１０８は、更新があった場合に希望者に更新を伝えるものである。
【００１６】
ユーザ端末１０１、電子文書サーバ１０２、検索装置１０３及び更新通知装置１０５は、インターネット１０９を介して互いに接続されている。
【００１７】
電子文書サーバ１０２、検索装置１０３及び更新通知装置１０５は、サーバと総称され、ＨＴＴＰによる要求を受けて結果を返すことのできる装置であり、図２に示す装置構成である。
【００１８】
この装置構成は、図２に示されるような一般的なＰＣ（パーソナルコンピュータ）である。
【００１９】
図２において、２０１はＨＤ（ハードディスク）装置、２０２はメモリ、２０３はネットワークＩ／Ｆ（インタフェース）、２０４はＣＰＵ（中央演算処理装置）、２０５はリムーバブル装置、２０６はディスプレイ装置、２０７は表示ボード、２０８はキーボード、２０９はマウス、２１０は周辺コントローラである。
【００２０】
この図２に示す装置構成としては、近年のネットワーク接続が可能な携帯電話やＰＤＡ（携帯情報機器）等の装置であっても良い。
【００２１】
検索開始ページは、図３に示すように、文書の存在範囲を設定する検索範囲３０１と、文書に含まれているキーワード３０２を設定することができる。
【００２２】
検索装置１０３の利用手順について説明する。
【００２３】
まず、ユーザは、二つのパラメータを設定した後、検索開始ページに設けられた検索ボタン５０３を押下することで検索要求を行う。この検索要求は、ユーザ端末１０１から検索装置１０３へ送られ、検索装置１０３は、自身のデータベースから、該当範囲に存在し且つ設定されたキーワードを含む文書の諸情報をリスト化してユーザ端末１０１へ送信する。これが検索結果ページであり、ユーザ端末１０１では、図４のように見える。
【００２４】
次に、更新通知装置１０５の利用手順について説明する。
【００２５】
まず、ユーザは、ユーザ端末１０１から更新通知装置１０５へ通知登録ページの取得要求を行う。これに応じて更新通知装置１０５中の設定手段１０６は、ユーザ端末１０１へ通知登録ページを送信する。この通知登録ページは、通知設定を更新通知装置１０５に送信するためのものであり、図５に示すように、文書の存在範囲を設定する通知範囲５０１と、文書に含まれているキーワード５０２、通知を電子メールで行う場合の通知先の電子メールアドレス５０３を設定することができる。ユーザは、三つのパラメータを設定した後、通知登録ページに設けられた登録ボタン５０４を押下することで通知登録を行う。登録に成功すると更新通知装置１０５は登録完了ページをユーザ端末１０１へ返す。
【００２６】
この登録完了ページは、登録に成功したことを知らせる図６に示すようなページである。更新したページがあった場合には、図７に示すような内容の電子メールが更新通知装置１０５からユーザ端末１０１へ送信される。
【００２７】
図８は、本実施の形態に係る更新通知システムの利用手順を示す図である。従来例である図１２と同じく検索装置を利用するが、入力情報変換手段１０４を含む検索装置１０３は、図４とは異なる図９に示すような改良型検索結果ページをユーザ端末１０１へ送信する（図８の８０１）。図４と図９との相違点は、図９に示す通知登録ページへのリンクボタン９０１である。これは、入力情報変換手段１０４が図１０に示す記述を検索結果ページに追加することによって表示されている。
【００２８】
図１０において、１００１は更新通知装置の通知登録ページへのリンク、１００２は検索要求として使用したキーワードを更新通知装置１０５に送信するためのキーワード送信用記述、１００３は検索要求として使用した検索範囲を更新通知装置１０５に送信するための検索対象送信用記述、１００４は図９のリンクボタン９０１を表示するための通知登録ページへのリンクボタン表示用記述である。
【００２９】
ユーザは、図９のリンクボタン９０１を押下することによって、ユーザ端末１０１から更新通知装置１０５へ、検索時の検索範囲とキーワードを送信すると共に、改良型通知登録ページの取得要求を行う（図８の８０２）。改良型通知登録ページは、この要求に応じて更新通知装置１０５からユーザ端末１０１へ送信される（図８の８０３）。改良型通知登録ページは、図１１に示すように図５とは異なり、通知範囲の設定５０１とキーワードの設定５０２を設定するユーザインタフェースが無く、図１１の通知範囲、キーワード確認メッセージ１１０１のように既に設定済みであることが示されている。通知範囲には検索範囲、キーワードには検索時のキーワードが流用されている。
【００３０】
本実施の形態の場合、検索範囲は“Ｓｉｔｅ０００００１”という文字列で、検索装置１０３も更新通知装置１０５も障害情報サイトのＵＲＬ（例えば、ｈｔｔｐ：／／ｗｗｗ．ｓａｍｐｌｅ．ｃｏ．ｊｐ／ｓｈｏｕｇａｉ／）  が示されていることを共有できている。これは、両装置１０３，１０５共に、この関連情報を保持しているためである。
【００３１】
図１０の検索対象送信用記述１００３のユーザは、図１１の通知先電子メールアドレス１１０２を設定し、登録ボタン１１０３を押すと、ユーザ端末１０１から更新通知装置１０５へ通知パラメータの送信が、即ち、通知登録要求が行われ（図８の８０４）、更新通知装置１０５からユーザ端末１０１へ登録完了ページが送信される（図８の８０５）。
【００３２】
（他の実施の形態）
上述した実施の形態では、検索範囲は“Ｓｉｔｅ０００００１”という文字列で簡略的に表したが、この検索範囲を示すＵＲＬ自身を送信しても良い。検索範囲を示すＵＲＬとは、上述した実施の形態の場合は、“  ｈｔｔｐ：／／ｗｗｗ．ｓａｍｐｌｅ．ｃｏ．ｊｐ／ｓｈｏｕｇａｉ／”である。
【００３３】
また、上述した実施の形態では、検索装置１０３と更新通知装置１０５とを別サーバ上で運用していたが、同じサーバ上で運用することも可能である。
【００３４】
また、上述した実施の形態の機能を実現するソフトウェアのプログラムコードを記憶した記憶媒体を、システム或いは装置に供給し、そのシステム或いは装置のコンピュータ（またはＣＰＵやＭＰＵ等）が記憶媒体に格納されたプログラムコードを読み出して実行することによっても、本発明が達成されることは言うまでもない。
【００３５】
この場合、記憶媒体から読み出されたプログラムコード自体が上述した実施の形態の機能を実現することになり、そのプログラムコードを記憶した記憶媒体は本発明を構成することになる。
【００３６】
また、プログラムコードを供給するための記憶媒体としては、例えば、ＲＡＭ、ＮＶ−ＲＡＭ、フロッピー（登録商標）ディスク、ハードディスク、光ディスク、光磁気ディスク、ＭＯ、ＣＤ−ＲＯＭ、ＣＤ−Ｒ、ＣＤ−ＲＷ、ＤＶＤ（ＤＶＤ−ＲＯＭ、ＤＶＤ−Ｒ、ＤＶＤ−ＲＷ等）、磁気テープ、不揮発性のメモリカード、他のＲＯＭ等の上記プログラムコードを記憶できるものであれば良く、或いはネットワークを介したダウンロード等を用いることができる。
【００３７】
また、コンピュータが読み出したプログラムコードを実行することにより、上述した実施の形態の機能が実現されるだけでなく、そのプログラムコードの指示に基づき、コンピュータ上で稼動しているＯＳ（オペレーティングシステム）等が実際の処理の一部または全部を行い、その処理によって上述した実施の形態の機能が実現される場合も含まれることは言うまでもない。
【００３８】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって上述した実施の形態の機能が実現される場合も含まれることは言うまでもない。
【００３９】
以上では、本発明の様々な例と実施の形態を説明したが、当業者であれば、本発明の趣旨と範囲は本明細書内の特定の説明と図に限定されるものではなく、本願特許請求の範囲に全て述べられた様々な修正と変更に及ぶことが可能であることは言うまでもない。
【００４０】
本発明の実施態様の例を以下に列挙する。
【００４１】
［実施態様１］  更新通知装置と検索装置とから成る電子文書の更新通知システムであって、
前記検索装置で入力された情報を前記更新通知装置で利用するための入力情報変換手段を有することを特徴とする電子文書の更新通知システム。
【００４２】
［実施態様２］  更新通知装置と検索装置とから成る電子文書の更新通知システムであって、
前記検索装置で入力されたキーワードを前記更新通知装置で利用するための入力情報変換手段を有することを特徴とする電子文書の更新通知システム。
【００４３】
［実施態様３］  更新通知装置と検索装置とから成る電子文書の更新通知システムであって、
ネットワーク中の電子文書の更新を監視する更新監視手段と、
前記更新監視手段が検索した電子文書の存在を通知する通知手段と、
通知を希望する文書を前記更新監視手段に設定するための通知設定手段と、
前記検索装置への入力情報から前記通知設定手段への入力情報を生成する入力情報変換手段と
を有することを特徴とする電子文書の更新通知システム。
【００４４】
［実施態様４］  前記検索装置への入力情報から前記更新通知装置への通知設定情報を生成する入力情報変換手段を有することを特徴とする実施態様１乃３のいずれかに記載の電子文書の更新通知システム。
【００４５】
［実施態様５］  前記検索装置の出力する通知設定情報を入力できる通知設定手段を有することを特徴とする実施態様１乃至３のいずれかに記載の電子文書の更新通知システム。
【００４６】
［実施態様６］  前記入力情報変換手段での変換情報は、キーワードであることを特徴とする実施態様１乃至３のいずれかに記載の電子文書の更新通知システム。
【００４７】
［実施態様７］  前記入力情報変換手段での変換情報は、キーワードと、文書の検索範囲であることを特徴とする実施態様１乃至３のいずれかに記載の電子文書の更新通知システム。
【００４８】
［実施態様８］  前記入力情報変換手段は、前記検索装置の出力する検索結果ページを改変可能であり、変換情報を前記通知設定装置に送信するためのリンクを検索結果ページに出力することを特徴とする実施態様１乃至７のいずれかに記載の電子文書の更新通知システム。
【００４９】
［実施態様９］  更新通知装置と検索装置とから成る電子文書の更新通知システムにより電子文書の更新通知を行う更新通知方法であって、
前記検索装置で入力された情報を前記更新通知装置で利用するための入力情報変換工程を有することを特徴とする電子文書の更新通知方法。
【００５０】
［実施態様１０］  更新通知装置と検索装置とから成る電子文書の更新通知システムにより電子文書の更新通知を行う更新通知方法であって、
前記検索装置で入力されたキーワードを前記更新通知装置で利用するための入力情報変換工程を有することを特徴とする電子文書の更新通知方法。
【００５１】
［実施態様１１］  更新通知装置と検索装置とから成る電子文書の更新通知システムにより電子文書の更新通知を行う更新通知方法であって、
ネットワーク中の電子文書の更新を監視する更新監視工程と、
前記更新監視工程が検索した電子文書の存在を通知する通知工程と、
通知を希望する文書を前記更新監視工程に設定するための通知設定工程と、
前記検索装置への入力情報から前記通知設定工程への入力情報を生成する入力情報変換工程とを有することを特徴とする電子文書の更新通知方法。
【００５２】
［実施態様１２］  前記検索装置への入力情報から前記更新通知装置への通知設定情報を生成する入力情報変換工程を有することを特徴とする実施態様９乃至１１に記載の電子文書の更新通知方法。
【００５３】
［実施態様１３］  前記検索装置の出力する通知設定を入力とする通知設定工程を有することを特徴とする実施態様９乃至１１に記載の電子文書の更新通知方法。
【００５４】
［実施態様１４］  前記入力情報変換工程での変換情報は、キーワードであることを特徴とする実施態様９乃至１１に記載の電子文書の更新通知方法。
【００５５】
［実施態様１５］  前記入力情報変換肯定での変換情報は、キーワードと、文書の存在範囲であることを特徴とする実施態様９乃至１１に記載の電子文書の更新通知方法。
【００５６】
［実施態様１６］  前記入力情報変換工程は、前記検索装置の出力する検索結果ページを改変可能であり、変換情報を前記通知設定装置に送信するためのリンクを検索結果ページに出力することを特徴とする実施態様９乃至１１のいずれかに記載の電子文書の更新通知方法。
【００５７】
［実施態様１７］  実施態様９乃至１６に記載の電子文書の更新通知方法が有する各工程をコンピュータに実行させるためのプログラムコードから成ることを特徴とする制御プログラム。
【００５８】
［実施態様１８］  実施態様１７に記載の制御プログラムを格納したことを特徴とする記憶媒体。
【００５９】
【発明の効果】
上述したように、本発明の電子文書の更新通知装置によれば、更新通知装置は、検索装置と同条件で更新通知を行うことができる。
【図面の簡単な説明】
【図１】本発明の一実施の形態に係る電子文書の更新通知システムの構成を示す図である。
【図２】本発明の一実施の形態に係る電子文書の更新通知システムにおけるユーザ端末、電子文書サーバ、検索装置及び更新通知装置の構成を示すブロック図である。
【図３】本発明の一実施の形態に係る電子文書の更新通知システムにおける検索開始ページの一例を示す図である。
【図４】本発明の一実施の形態に係る電子文書の更新通知システムにおける検索結果ページの一例を示す図である。
【図５】本発明の一実施の形態に係る電子文書の更新通知システムにおける通知登録ページの一例を示す図である。
【図６】本発明の一実施の形態に係る電子文書の更新通知システムにおける通知登録完了ページの一例を示す図である。
【図７】本発明の一実施の形態に係る電子文書の更新通知システムにおける通知メールの一例を示す図である。
【図８】本発明の一実施の形態に係る電子文書の更新通知システムにおける検索装置と更新通知装置の利用手順を示す図である。
【図９】本発明の一実施の形態に係る電子文書の更新通知システムにおける検索結果ページの一例を示す図である。
【図１０】本発明の一実施の形態に係る電子文書の更新通知システムにおける検索結果ページの改良部分の詳細図である。
【図１１】本発明の一実施の形態に係る電子文書の更新通知システムにおける通知登録ぺージの一例を示す図である。
【図１２】従来の電子文書の更新通知システムにおける検索装置の利用手順を示す図である。
【図１３】従来の電子文書の更新通知システムにおける更新通知装置の利用手順を示す図である。
【符号の説明】
１０１    ユーザ端末
１０２    電子文書サーバ
１０３    検索装置
１０４    入力情報変換手段
１０５    更新通知装置
１０６    設定手段
１０７    更新監視手段
１０８    通知手段
２０１    ＨＤ装置
２０２    メモリ
２０３    ネットワークＩ／Ｆ
２０４    ＣＰＵ
２０５    リムーバブル装置
２０６    ディスプレイ装置
２０７    表示ボード
２０８    キーボード
２０９    マウス
２１０    周辺コントローラ
３０１    検索範囲
３０２    キーワード
３０３    検索ボタン
５０１    通知範囲
５０２    キーワード
５０３    通知先電子メールアドレス
５０４    登録ボタン
９０１    通知登録ページへのリンクボタン
１００１  通知登録ページへのリンク
１００２  キーワード送信用記述
１００３  検索対象送信用記述
１００４  通知登録ページへのリンクボタン表示用記述
１１０１  通知範囲、キーワード確認メッセージ
１１０２  通知先電子メールアドレス
１１０３  登録ボタン
【図１】
2004280539.tif 000003
【図２】
2004280539.tif 000004
【図３】
2004280539.tif 000005
【図４】
2004280539.tif 000006
【図５】
2004280539.tif 000007
【図６】
2004280539.tif 000008
【図７】
2004280539.tif 000009
【図８】
2004280539.tif 000010
【図９】
2004280539.tif 000011
【図１０】
2004280539.tif 000012
【図１１】
2004280539.tif 000013
【図１２】
2004280539.tif 000014
【図１３】
2004280539.tif 000015